(57)【要約】メタデータ供給システム及び方法が記載されている。前記システムは送信機（３０）及び受信機（６０）を有する。前記送信機（３０）は、コンテンツデータに対応するメタデータを送信するよう構成される。前記受信機（６０）は、送信された前記メタデータを受信するよう構成され、ここで、前記受信機（６０）は、前記メタデータを記憶し、要求あり次第該メタデータを出力するよう構成される。好ましくは、前記送信機（３０）及び前記受信機（６０）は、デジタルオーディオブロードキャストシステムの下で動作する。
2006511005.tif 000002
【特許請求の範囲】
【請求項１】
送信機及び受信機を有するメタデータ供給システムであり、前記送信機が、コンテンツデータに対応するメタデータを送信するよう構成され、前記受信機が、送信された前記メタデータを受信するよう構成されるメタデータ供給システムであって、前記受信機が、前記メタデータを記憶し、要求あり次第該メタデータを出力するよう構成されるメタデータ供給システム
【請求項２】
前記コンテンツデータが、オーディオデータを有し、前記受信機が、メディア・プレーヤを含み、前記要求が、前記メディア・プレーヤにおける前記オーディオデータの表示を有することを特徴とする請求項１に記載のシステム。
【請求項３】
前記メディア・プレーヤがカーヘッドユニットを有することを特徴とする請求項１又は２に記載のシステム。
【請求項４】
前記送信機が、前記受信機が所定の領域内にある場合に該受信機にメタデータを送信するよう構成される局所送信機を有することを特徴とする請求項１乃至３のいずれか一項に記載のシステム。
【請求項５】
前記送信機に対する電力が、送信を前記所定の領域に限定するよう制御されることを特徴とする請求項４に記載のシステム。
【請求項６】
前記送信機及び前記受信機が、デジタルオーディオブロードキャスト規格に従って動作することを特徴とする請求項１乃至５のいずれか一項に記載のシステム。
【請求項７】
前記送信機及び前記受信機が、ブルートゥース、IEEE 802.11又はZigBeeのうちの選択されたものに従って動作することを特徴とする請求項１乃至５のいずれか一項に記載のシステム。
【請求項８】
送信される前記メタデータが暗号化されることを特徴とする請求項１乃至７のいずれか一項に記載のシステム。
【請求項９】
メタデータを供給する方法であって、
ワイヤレスデータネットワークを通じて送信機からコンテンツデータに対応するメタデータを送信するステップと、
受信機において送信された前記メタデータを受信するステップと、
前記受信機において前記メタデータを記憶するステップと、
要求あり次第前記受信機から前記メタデータを出力するステップとを有する方法
【請求項１０】
前記ワイヤレスデータネットワークが、デジタルオーディオブロードキャストネットワーク、IEEE 802.11ネットワーク、ZigBeeネットワーク又はブルートゥースネットワークのうちの選択されたものを有することを特徴とする請求項９に記載の方法。
【発明の詳細な説明】
【技術分野】
【０００１】
本発明は、データネットワーク接続性のない宛先にメタデータを供給することが可能なシステム及び方法に関する。本発明は、とりわけ、自動車内の娯楽システムへのメタデータの供給に適用可能である。
【背景技術】
【０００２】
多くのユーザが、音楽及びつい最近にはマルチメディアを再生するオーディオシステムを所有している。オーディオシステムは、一般に、例えばCD（コンパクトディスク）及び／又はMD（ミニディスク）の記憶媒体上に記録されたオーディオを再生する能力を持つ。各媒体タイプは、それ自体の予め規定された仕様と、オーディオトラックが書き込まれる方法を規定するデータコード化形式とを持つ。つい最近には、MP3及びWMAなどの音楽をコード化するための様々なファイル形式が利用されている。これらの形式は、単一の記憶媒体上にずっと多くの（一般にトラックと呼ばれる）音楽ファイルが記憶されることを可能にする。
【０００３】
音楽ファイルを記憶するのにハードディスク又は固体状態記憶装置などの他のメモリ装置を用いる他のオーディオシステムも利用可能である。
【０００４】
いずれの場合においても、単一の装置又は記録媒体が記憶することが出来る音楽ファイルの数は劇的に増大している。以前は、小売店から購入されるCDは、典型的には、８トラック乃至１５トラックしか記憶しておらず、聞きたい特定のトラックを見つけるためにトラックを通して走査するのは相対的に簡単であった。しかしながら、1Gbを上回る記憶容量を供給する幾つかのシステムでは、数百の、もしそうでなければ数千のトラックが、直ちにアクセス可能なように単一の装置内又は単一の記憶媒体上に記憶され得る。このようなシステムは、所望のトラックがその特定の媒体上にない場合にCD又は他の媒体を交換する必要性を取り除くが、トラックはもはや多数のCD又は他の媒体の間で都合よく分類されない。以前は、この分類が、音楽のコレクションのサーチ及び編成を簡単にする利点を供給した。
【０００５】
トラック又はトラックの編集物は、トラックのタイトル、アーティストの名前、編集物のタイトル、作詞作曲家の名前などといった該トラック又はトラックの編集物と関連性のある付加的な情報を持つのが一般的である。元のデータに関する定義、説明又は他のデータであるこの付加的な情報は、メタデータと呼ばれ得る。以前は、このようなメタデータは、記憶媒体のケース又は包装それ自体の一部に対する印刷挿入物の形で供給された。しかしながら、多くのトラック又は編集物が単一の装置又は記憶媒体上にマージされる場合、このメタデータは失われる。
【０００６】
トラックを再生しながらのメタデータの表示は、各トラックを順番に聞く必要なしに所望のトラックが選択され得るので、ユーザにとって有用である。更に、メタデータの表示は、ユーザが前に聞いたことがないかもしれない又は忘れてしまっているかもしれないトラックについての情報をユーザが得ることを可能にする。
【０００７】
メタデータを供給する１つの供給源はwww.gracenote.comである。グレースノートシステムは、800,000枚を超えるの音楽アルバム及び10,000,000曲を超えるシングル曲(individual song)をカバーするといわれているメタデータの非常に大きなオンラインデータベースを供給する。現在、記憶装置内の組み込みシステム又はソフトウェアプログラムは、通例、インターネットを介してオンラインデータベースにアクセスして、各々のトラック又はアルバムと関連するメタデータを得るよう構成される。
【０００８】
グレースノートなどのシステムの主な不利な点は、メタデータを得るのにインターネット接続が必要とされることにある。
【発明の開示】
【課題を解決するための手段】
【０００９】
本発明の第１の態様によれば、送信機及び受信機を有するメタデータ供給システムであり、前記送信機が、コンテンツデータに対応するメタデータを送信するよう構成され、前記受信機が、送信された前記メタデータを受信するよう構成されるメタデータ供給システムであって、前記受信機が、前記メタデータを記憶し、要求あり次第該メタデータを出力するよう構成されるメタデータ供給システムが提供される。
【００１０】
本発明は、データネットワーク接続性がない宛先にメタデータが供給され得る方法及びシステムを提供することを目的とする。
【００１１】
好ましくは、前記コンテンツデータは、オーディオデータを含み、前記受信機は、メディア・プレーヤを含み、前記要求は、前記メディア・プレーヤにおける前記オーディオデータの表示を含む。好ましくは、前記メディア・プレーヤは、カーヘッドユニット(car head unit)を含む。
【００１２】
前記送信機は、受信機が所定の領域内にある場合に該受信機にメタデータを送信するよう構成される局所送信機を含み得る。前記送信機に対する電力は、送信を前記所定の領域までに限定するよう制御され得る。
【００１３】
好ましくは、前記送信機及び前記受信機は、デジタルオーディオブロードキャスト規格(Digital Audio Broadcasting standard)に従って動作する。
【００１４】
ＤＡＢシステムを用いることによって、既存の送信機のサービスエリアが用いられることができ、それによって、実施コストを低減することが出来る。
【００１５】
他の例においては、前記送信機及び前記受信機は、ブルートゥース、IEEE 802.11又はZigBeeなどの別のワイヤレスデータネットワークの下で動作し得る。
【００１６】
送信される前記メタデータは暗号化されてもよい。
【００１７】
本発明の別の態様によれば、メタデータを供給する方法であって、
ワイヤレスデータネットワークを通じて送信機からコンテンツデータに対応するメタデータを送信するステップと、
受信機において送信された前記メタデータを受信するステップと、
前記受信機において前記メタデータを記憶するステップと、
要求あり次第前記受信機から前記メタデータを出力するステップとを有する方法が提供される。
【００１８】
添付図面を参照して本発明の例を以下に詳細に記載する。
【発明を実施するための最良の形態】
【００１９】
図１は、本発明の一態様によるメタデータ供給システムの概略図である。
【００２０】
メタデータ供給システムはメタデータ供給源１０及びメタデータ受信機５０を含む。メタデータ供給源１０は、メタデータを記憶するデータベース２０と、デジタルオーディオブロードキャスト（ＤＡＢ）規格に従って動作する送信機３０とを含む。ＤＡＢ規格は
、www.etsi.org から入手可能なＥＴＳＩ文書３００乃至４０１において詳述されており、参照により本願明細書に盛り込まれる。メタデータ受信機５０は、ＤＡＢ受信機６０とメモリ７０とを含む。
【００２１】
データベース２０は、該データベース２０のメタデータを繰返しループにおいて送信機３０を介して受信機６０に送信する。受信されたメタデータはメモリ７０内に記憶される。コンテンツが更新された場合には、又は新しいメタデータが付加された場合には、メモリ７０はそれに応じて更新される。繰返しループにおいてメタデータを送信することによって、いつか全てのメタデータ受信機５０が更新を受信するであろうことが確実にされることができ、メタデータ受信機５０は全てが同時に動作中である又は送信機３０の受信範囲内にある必要はない。更に、空メモリ７０を備える汎用メタデータ受信機５０が販売されてもよく、その場合、関連メタデータは局所化された送信機３０から徐々に受信されるであろう。例えば、フランスにおいては、送信機３０は、フランス語のメタデータ、又はもしかするとフランス人アーティストについてのメタデータをより多く含むメタデータを送信するであろう。しかしながら、同じ技術が英国において用いられることができ、受信機５０は、英国市場に関連する異なるメタデータを受信するであろう。
【００２２】
メタデータ受信機５０は、好ましくは、カーヘッドユニット８０などのオーディオ装置に結合される又は組み込まれる。好ましい実施例においては、ヘッドユニット８０は、ＣＤプレーヤ又はＭＤプレーヤなどのメディア・プレーヤ８５を含む。メディア・プレーヤ８５に入力される媒体のコンテンツは、選択的に又は自動的にメモリ７０に転送され得る。媒体がメディア・プレーヤ８５に入力される場合、識別子が得られ、これは、媒体のコンテンツについてのメタデータを得るためにメモリ７０内に保持されるメタデータと相関させられる。一般に、相関は、コンテンツを識別する媒体上に記録されるであろう所定の識別子を介するものであろう。他の例においては、媒体のコンテンツテーブルが識別子として用いられ得る。
【００２３】
次いで、媒体のコンテンツは、メモリ７０に転送され、保持されているいずれかの関連メタデータと関連付けられる。
【００２４】
メモリ７０内に記憶されているものに加えて新しいメタデータが送信機３０から受信される場合、前記新しいメタデータは、メモリ内に記憶されている既存のコンテンツと比較され、必要であれば付加的な関連性のあるものが記録される。特定のコンテンツがヘッドユニット８０によって再生される場合に、関連メタデータは表示される又は別の方法で用いられる。ヘッドユニット８０は、関連メタデータに依存するコンテンツに対するサーチ機能も供給し得る。
【００２５】
好ましくは、DAB送信は、DAB規格において詳細に記載されている条件付きアクセスのメカニズムを用いて暗号化される。この方法においては、送信は暗号化され、これを示すフラグが、送信されるデータ構造内に設定される。受信機５０は、メタデータが受信され次第解読されることを可能にする事前合意を得た解読鍵(pre-agreed decryption key)を含む。必要な解読鍵を得るために１回限りの又は周期的なチャージ(charge)が適用され得る。
【００２６】
図２は、本発明の他の実施例によるメタデータ供給システムの概略図である。 
【００２７】
この実施例において、送信機３０は、極めて狭い通信範囲３５しか持たない低出力局所送信機である。例えば、送信機は、IEEE 802.11、ZigBee、ブルートゥース又はDABなどの規格に従って動作し得る。ユーザのPC又はセットトップボックスが、メタデータ供給源１０及びデータベース２０として機能する。PCは、メタデータプロバイダ１００に接続され、新しいメタデータ及び更新メタデータが、データベース２０を更新するためにメタデータプロバイダ１００から得られる。この情報は、受信機６０が範囲内にある場合に送信機３０及び受信機６０を介してメモリ７０に伝達される。
【００２８】
読者にとっては、前記システム及び前記方法に対する多くの変形例及び修正例があり得ることは明らかであろう。メモリ７０は、ハードディスク又は他の記録可能な記憶媒体であってもよい。更に、メモリ７０は、多数の記憶媒体又はメモリそれ自体で構成されてもよい。例えば、メタデータデータベース記憶専用の１つのハードディスクと、コンテンツを記憶するための別のハードディスクとがあってもよい。このケースにおいては、コンテンツが記録される場合に、コンテンツが、メタデータデータベース内の適切なエントリ(entry)にリンクされてもよく、又は前記エントリが、コンテンツハードディスクにコピーされてもよい。ヘッドユニット及びシステムが記録することが出来ないおそれがあるMP3又は類似のコード化されたCDの場合には、システムは、リアルタイムに、再生されるべき各トラックのためのメタデータデータベースにアクセスし、これを表示するよう構成され得る。
【００２９】
送信されるデータの量を制限する様々なメカニズムも考えられ得る。例えば、受信機５０のメモリ７０は、販売時に、後に付加される定義済メタデータデータベースを含んでいてもよい。この場合には、その後に付加されるものしか、送信機３０によって連続的なループにおいて送信される必要がないであろう。別の例においては、メモリ７０は、実際に記憶されるコンテンツについてのメタデータしか記憶しないかもしれない。この方法においては、導入される任意の新しいコンテンツの識別子が、それが利用可能である場合に適切なメタデータを選び出すために記憶され、用いられるであろう。
【図面の簡単な説明】
【００３０】
【図１】本発明の一実施例によるメタデータ供給システムの概略図である。
【図２】本発明の別の実施例によるメタデータ供給システムの概略図である。
【図１】
2006511005.tif 000003
【図２】
2006511005.tif 000004
【国際調査報告】
2006511005.tif 000005
2006511005.tif 000006